(57)【特許請求の範囲】
【請求項１】
複数種類のデバイスに処理の実行指示を出力可能な汎用ドライバがインストールされた制御装置であって、
前記複数種類のデバイスのうち、前記処理を実行させるデバイスである特定の種類のデバイスを選択する選択部と、
前記選択部によって選択された特定の種類のデバイスから、当該特定の種類のデバイスに適用される特定設定項目の内容を設定するための特定画面を表す特定画面データが記憶されている前記制御装置の外部の場所を示す記憶先情報を取得する記憶先情報取得部と、
前記記憶先情報取得部によって取得された前記記憶先情報を、前記汎用ドライバによって準備される設定画面を表す設定画面データに組み込む組込部と、
前記組込部により前記記憶先情報が組み込まれた前記設定画面データを、表示部に供給する設定画面供給部であって、前記設定画面は、前記複数種類のデバイスに共通に適用される共通設定項目と、前記記憶先情報が組み込まれ、前記特定の種類のデバイスに適用される前記特定設定項目と、が指定されるための画面である、前記設定画面供給部と、
前記設定画面において前記記憶先情報が組み込まれた前記特定設定項目が指定された場合に、当該記憶先情報により示される前記制御装置の外部から、前記特定画面データを取得する取得部と、
取得済みの前記特定画面データを、前記表示部に供給する特定画面供給部と、
を備える、制御装置。
【請求項２】
請求項１に記載の制御装置であり、
前記共通設定項目と前記特定設定項目とが、互いに異なる設定項目である、制御装置。
【請求項３】
請求項１または請求項２に記載の制御装置であり、
前記設定画面供給部及び前記特定画面供給部は、前記設定画面データと前記特定画面データとをそれぞれ独立した画面データとして供給する、制御装置。
【請求項４】
請求項１ないし請求項３のいずれか一項に記載の制御装置であり、
前記設定画面供給部は、前記汎用ドライバに含まれる第１表示プログラムを用いて前記設定画面データを前記表示部に供給し、
前記特定画面供給部は、前記汎用ドライバに含まれない第２表示プログラムを用いて前記特定画面データを前記表示部に供給する、制御装置。
【請求項５】
請求項４に記載の制御装置であり、
前記取得部は、前記設定画面供給部により前記第１表示プログラムを用いて供給された前記設定画面データに基づく前記設定画面において前記特定設定項目が指定されることを条件として、前記第２表示プログラムを用いて前記特定画面データを取得する、制御装置。
【請求項６】
請求項４または請求項５に記載の制御装置であり、
前記第２表示プログラムは、ウェブブラウザプログラムである、制御装置。
【請求項７】
請求項１ないし請求項６のいずれか一項に記載の制御装置であり、
前記設定画面は、前記特定設定項目に関するヘルプ情報を表示するためのアイコンを有する、制御装置。
【請求項８】
請求項１ないし請求項７のいずれか一項に記載の制御装置であり、
前記取得部が取得する前記特定画面データに、別の前記特定画面データと区別するための識別番号を付加する付加部を備える、制御装置。
【請求項９】
請求項１ないし請求項８のいずれか一項に記載の制御装置であり、
前記取得部が前記特定画面データを取得する際、前記特定画面データに対応する前記特定の種類のデバイスの場所を示す送信先情報を更に取得し、
前記送信先情報と関連付けられた特定画面データに基づく前記特定画面にて前記特定設定項目の内容が設定された場合に、当該設定された内容を前記送信先情報に示された場所の前記特定の種類のデバイスに送信する、制御装置。
【請求項１０】
請求項１ないし請求項９のいずれか一項に記載の制御装置であり、
前記設定画面は、前記共通設定項目の内容を設定するための画面を含む、制御装置。
【請求項１１】
請求項１ないし請求項１０のいずれか一項に記載の制御装置と、
前記制御装置の外部にて接続される前記特定の種類のデバイス内に設けられており、当該デバイスに対応する前記特定画面データを記憶する記憶装置と、
を備える、画像処理システム。
【請求項１２】
複数種類のデバイスに処理の実行指示を出力可能な汎用ドライバがインストールされた制御装置に、
前記複数種類のデバイスのうち、前記処理を実行させるデバイスである特定の種類のデバイスを選択する選択処理と、
前記選択処理によって選択された特定の種類のデバイスから、当該特定の種類のデバイスに適用される特定設定項目の内容を設定するための特定画面を表す特定画面データが記憶されている前記制御装置の外部の場所を示す記憶先情報を取得する記憶先情報取得処理と、
前記記憶先情報取得処理によって取得された前記記憶先情報を、前記汎用ドライバによって準備される設定画面を表す設定画面データに組み込む組込処理と、
前記組込処理により前記記憶先情報が組み込まれた前記設定画面データを、表示部に供給する設定画面供給処理であって、前記設定画面は、前記複数種類のデバイスに共通に適用される共通設定項目と、前記記憶先情報が組み込まれ、前記特定の種類のデバイスに適用される前記特定設定項目と、が指定されるための画面である、前記設定画面供給処理と、
前記設定画面において前記記憶先情報が組み込まれた前記特定設定項目が指定された場合に、当該記憶先情報により示される前記制御装置の外部から、前記特定画面データを取得する取得処理と、
を実行させる、プログラム。
【発明の詳細な説明】
【技術分野】
【０００１】
本発明は、画像処理装置を制御するための技術に関する。
【背景技術】
【０００２】
従来から、１つのドライバで複数種類の画像処理装置を制御可能なユニバーサルプリンタドライバと呼ばれる汎用のプリンタドライバが利用されている（特許文献１参照）。このような汎用ドライバでは、複数種類の画像処理装置に共通に適用する共通設定項目を設定する際には、汎用ドライバによって準備される設定画面を用いて、各画像処理装置に対して設定項目を設定することができる。また、複数種類の画像処理装置のうちの特定の種類の画像処理装置に適用する特定設定項目を設定する際には、設定に先だって専用の設定画面を汎用ドライバに組み込んでおくことで、特定の種類の画像処理装置に対して設定項目を設定することができる。
【先行技術文献】
【特許文献】
【０００３】
【特許文献１】特開２００８−４７０６９号公報
【発明の概要】
【発明が解決しようとする課題】
【０００４】
しかしながら、こうした汎用ドライバでは、特定設定項目を設定する際に、設定に先だって専用の設定画面を汎用ドライバに組み込んでおく必要があり、これら専用の設定画面を記憶するための記憶領域を確保しておく必要がある。また、専用の設定画面に含まれる特定設定項目の内容を設定可能に識別しておく必要がある。そのため、汎用ドライバの構成が複雑化してしまうという問題が生じていた。
【０００５】
本明細書では、汎用ドライバを用いて特定設定項目を設定する際に、汎用ドライバの構成が複雑化することを抑制する技術を開示する。
【課題を解決するための手段】
【０００６】
本明細書によって開示される印刷制御装置は、複数種類のデバイスに処理の実行指示を出力可能な汎用ドライバがインストールされた制御装置であって、設定画面供給部と取得部と特定画面供給部を備える。設定画面供給部は、汎用ドライバによって準備される設定画面を表す設定画面データを、表示部に供給する。設定画面とは、複数種類のデバイスに共通に適用される共通設定項目と、複数種類のデバイスのうちの特定の種類のデバイスに適用される特定設定項目と、が指定されるための画面である。取得部は、特定の種類のデバイスに対して特定設定項目が指定された場合に、制御装置の外部から、特定の種類のデバイスに適した特定画面を表す特定画面データを取得する。特定画面とは、特定設定項目の内容を設定するための画面である。特定画面供給部は、取得済みの特定画面データを、表示部に供給する。
【０００７】
本明細書によって開示される制御装置は、汎用ドライバによって準備される設定画面に特定設定項目が指定されるための画面を含んでおり、この画面を用いて特定設定項目を指定することができる。また、制御装置は、特定設定項目が指定された場合に、特定設定項目の内容を設定するための特定画面を制御装置の外部から取得する。そのため、汎用ドライバは、特定画面を準備しておく必要もなければ、特定画面に含まれる特定設定項目の内容を設定可能に識別しておく必要もない。これによって、汎用ドライバの構成が複雑化してしまうことが抑制される。
【０００８】
共通設定項目と特定設定項目とは、互いに異なる設定項目であることが好ましい。これによって、共通設定項目では指定することができない設定項目を、特定設定項目を用いて指定することができる。
【０００９】
設定画面供給部及び特定画面供給部は、設定画面データと特定画面データとをそれぞれ独立した画面データとして供給することが好ましい。これによって、特定画面を設定画面に組み込む必要も無ければ、設定画面を特定画面に組み込む必要も無く、特定画面データを設定画面データに対して自由に構成することができる。
【００１０】
設定画面供給部は、汎用ドライバに含まれる第１表示プログラムを用いて設定画面データを前記表示部に供給し、特定画面供給部は、汎用ドライバに含まれない第２表示プログラムを用いて特定画面データを表示部に供給することが好ましい。これによって、特定画面データを表示部に供給するための第２表示プログラムを汎用ドライバに含んでおく必要がなく、汎用ドライバが複雑化することを抑制することができる。
【００１１】
第２表示プログラムは、ウェブブラウザプログラムであることが好ましい。一般に、制御装置にはウェブブラウザがインストールされていることが多い。ウェブブラウザを用いて特定画面データを表示部に表示することで、第２表示プログラムを別途制御装置にインストールしておく必要がない。また、ウェブブラウザは一般に汎用性を有しているため、特定画面データを汎用性のある表示プログラムにて表示できるように構成することができる。
【００１２】
設定画面は、特定設定項目に関するヘルプ情報を表示するためのアイコンを有することが好ましい。特定設定項目は、ユーザにとって特異な項目であることが多い。汎用ドライバによって準備される設定画面が、特定設定項目に関するヘルプ情報を表示するためのアイコンを有することで、ユーザは特定設定項目を設定するときに、特定設定項目がどのようなものであるかを予め把握することができ、特定設定項目を適切に設定することができる。
【００１３】
取得部が取得する特定画面データに、別の特定画面データと区別するための識別番号を付加する付加部を備えることが好ましい。これによって、複数の特定設定項目を設定するために、制御装置に外部から複数の特定画面データが取得された場合でも、識別番号を用いて各々の特定画面データを識別することができ、各々の特定設定項目を混同することなく設定することができる。
【００１４】
取得部が特定画面データを取得する際、特定画面データに対応する特定の種類のデバイスの場所を示す送信先情報を更に取得してもよい。この場合、送信先情報と関連付けられた特定画面データに基づく特定画面にて特定設定項目の内容が設定された場合に、当該設定された内容を送信先情報に示された場所の特定の種類のデバイスに送信することが好ましい。
【００１５】
本明細書によって開示される制御装置によれば、取得部が特定画面データを取得する制御装置の外部と、取得された特定画面データに基づいて特定設定項目の内容が送信される特定の種類のデバイスとが異なる場合でも、送信先情報を用いることで、目的とする特定の種類のデバイスに設定された特定設定項目の内容を送信することができる。
【００１６】
特定画面データが記憶されている制御装置の外部の場所を示す記憶先情報を設定画面データに組み込む組込部を備えることが好ましい。これによって、設定画面データに組み込まれた記憶先情報を用いて、取得部は特定画面データが記憶されている制御装置の外部の場所を容易に知ることができる。
【００１７】
設定画面は、共通設定項目の内容を設定するための画面を含むのが好ましい。これによって、設定画面を用いて共通設定項目の内容を設定することができる。特定設定項目の内容を設定する場合と異なり、制御装置の外部から共通設定項目の内容を設定するための画面を取得する必要が無い。
【００１８】
上記の制御装置を用いて構成される画像処理システムも新規で有用である。本明細書によって開示される画像処理システムは、上記の制御装置と記憶装置を備える。記憶装置は、制御装置の外部にて接続される特定の種類のデバイス内に設けられており、当該デバイスに対応する特定画面データを記憶する。
【００１９】
本明細書に記載の画像処理システムによれば、制御装置は記憶装置から特定画面データを取得し、その特定画面データを用いて特定画面を表す。そのため、制御装置にインストールされている汎用ドライバは、特定画面を準備しておく必要もなければ、特定画面に含まれる特定設定項目の内容を設定可能に識別しておく必要もない。これによって、汎用ドライバの構成が複雑化してしまうことが抑制される。また、特定の種類のデバイスからに当該デバイスに対応する特定画面データを取得できるため、対応関係が明確な簡易なシステムとして特定画面データを記憶することが可能である。
【００２０】
なお、この発明は、制御装置、制御方法、画像処理システム、画像処理方法、これらの方法または装置の機能を実現するためのプログラム、そのプログラムを記録した記録媒体等の種々の態様で実現することができる。
【図面の簡単な説明】
【００２１】
【図１】実施形態１におけるシステムの構成を示すブロック図
【図２】メモリ１４に記憶されるプログラム等を概略的に示すブロック図
【図３】Ｃｏｍｍｏｍ画面Ｇ１１を概略的に示す図
【図４】Ａｄｖａｎｃｅｄ画面Ｇ１２を概略的に示す図
【図５】特定画面Ｇ２の一例を示す図
【図６】汎用ドライバプログラム５４における処理を示すフローチャート
【図７】ウェブブラウザプログラム５６における処理を示すフローチャート
【図８】プリンタ３０における処理を示すフローチャート
【図９】特定設定項目Ｋ２の設定におけるデータ伝達の時系列を示す図
【図１０】Ａｄｖａｎｃｅｄ画面Ｇ１２の内容を示す表
【図１１】実施形態２におけるシステムの構成を示すブロック図
【図１２】プリンタ３０における処理を示すフローチャート
【図１３】サーバ８２における処理を示すフローチャート
【図１４】特定設定項目Ｋ２の設定におけるデータ伝達の時系列を示す図
【発明を実施するための形態】
【００２２】
＜実施形態１＞
実施形態１を図１ないし図１０を用いて説明する。
【００２３】
１．システムの構成
図１は、本実施形態のシステムの構成例を示すブロック図である。本システムは、パーソナルコンピュータ１０と、複数種類のプリンタ（デバイスの一例であり、制御装置の外部の一例）３０とを備えている。
【００２４】
パーソナルコンピュータ（制御装置の一例、以下「ＰＣ」という）１０は、中央処理装置（以下「ＣＰＵ」という）１２、メモリ（ＲＯＭ、ＲＡＭ、ハードディスクを含む）１４、キーボードやポインティングデバイスを有する操作部１６、ディスプレイを有する表示部１８、ネットワークインターフェイス２０等を備えている。
【００２５】
メモリ１４には、複数のプログラムプログラムが記憶されており、ＣＰＵ１２はメモリ１４から読み出したプログラムに従って、ＰＣ１０及びプリンタ３０を制御する。
ネットワークインターフェイス２０は、例えばＬＡＮ（Ｌｏｃａｌ  Ａｒｅａ  Ｎｅｔｗｏｒｋ）によるイントラネット内の通信回線２２に接続されている。この通信回線２２には、複数のプリンタ３０が接続されており、ＰＣ１０は、ネットワークインターフェイス２０を介してこれらのプリンタ３０とデータ通信を行うことができる。尚、ＰＣ１０と複数のプリンタ３０とは、ＬＡＮによる通信回線２２にて接続されるだけでなく、例えば、無線通信を用いて接続されることでデータ通信を行うこともできる。
【００２６】
なお、通信回線２２に接続されるプリンタ３０は、様々な機種を混在させても良く、また、図１に図示しないプリンタを新たに通信回線２２に接続したり、あるいはプリンタ３０を通信回線２２から切断したりしても良い。また、ＰＣ１０を、例えばノートパソコンのように携帯タイプのものとして、図１とは別のネットワークに接続し、そのネットワーク上に接続されたプリンタをＰＣ１０から使用することもできる。
【００２７】
図２は、メモリ１４に記憶されるプログラムや情報を概略的に示すブロック図である。
メモリ１４には、オペレーティングシステムプログラム（以下、「ＯＳ」という）５０、アプリケーションプログラム（以下「アプリケーション」という）５２、汎用ドライバプログラム（第１プログラムの一例、以下「汎用ドライバ」という）５４と、ウェブブラウザプログラム（第２プログラムの一例、以下「ウェブブラウザ」という）５６などが記憶されている。
【００２８】
また、メモリ１４には、ネットワークにおける各プリンタ３０の場所（アドレス）を示す送信先情報Ｚ１及び後述する特定画面データＤ２が記憶されている装置の場所を示す記憶先情報Ｚ２が記憶されている。なお、本実施形態では、特定画面データＤ２はプリンタ３０に記憶されているため、送信先情報Ｚ１にて示されるプリンタ３０と記憶先情報Ｚ２にて示されるプリンタ３０とが、同一のプリンタ３０として示されている。
【００２９】
ＯＳ５０は、インストールされたプリンタドライバを用いて印刷制御を行うための基本的なプログラムを備えたものであって、本実施形態では、例えばＭｉｃｒｏｓｏｆｔ社のＷｉｎｄｏｗｓ（登録商標）を用いる例を示す。
アプリケーション５２は、印刷用のデータを作成する機能を有するものであって、例えば、文字、図形、写真等を扱うプログラムである。
【００３０】
ＰＣ１０には、プリンタドライバとして、汎用ドライバ５４がインストールされており、ＯＳ５０には、汎用ドライバ５４に関連付けられた複数の印刷ポートが登録されている。
【００３１】
汎用ドライバ５４は、複数種類のプリンタ３０に対して処理の実行指示を出力可能なプログラムであり、設定画面データＤ１が準備されている。設定画面データＤ１は、表示部１８に設定画面Ｇ１を表すためのデータであり、ＣＰＵ１２は、ユーザからの指示が入力された場合等に、汎用ドライバ５４に従って動作し、設定画面データＤ１を表示部１８に供給する。すなわち、汎用ドライバ５４に従って動作するＣＰＵ１２は、設定画面データＤ１を表示部１８に供給する設定画像供給部として機能する。
【００３２】
設定画面Ｇ１は、Ｃｏｍｍｏｍ画面Ｇ１１（図３参照）とＡｄｖａｎｃｅｄ画面Ｇ１２（図４参照）を備えている。Ｃｏｍｍｏｍ画面Ｇ１１は、印刷部数（Ｃｏｐｉｅｓ）や解像度（Ｒｅｓｏｌｕｔｉｏｎ）など、複数種類のプリンタ３０に共通する共通設定項目Ｋ１を設定するための画面であり、ユーザは、Ｃｏｍｍｏｍ画面Ｇ１１を用いて、いずれのプリンタ３０に対しても共通設定項目Ｋ１を設定することができる。Ｃｏｍｍｏｍ画面Ｇ１１には、Ａｄｖａｎｃｅｄ画面Ｇ１２を表示するためのＡｄｖａｎｃｅｄタブ６４を有している。
【００３３】
またＣｏｍｍｏｍ画面Ｇ１１は、共通設定項目Ｋ１の内容（Ｃｏｐｉｅｓ：１、Ｒｅｓｏｌｕｔｉｏｎ：３００ｄｐｉ等）を設定するための画面を兼用している。そのため、ユーザは、Ｃｏｍｍｏｍ画面Ｇ１１を用いて、いずれのプリンタ３０に対しても共通設定項目Ｋ１の内容を設定することができる。共通設定項目Ｋ１の内容を設定する際には、目的のプリンタ３０を選択し、各共通設定項目Ｋ１に対応した設定欄６２の数値等を変化させる。これによって、目的とするプリンタ３０に共通設定項目Ｋ１の内容が設定される。
【００３４】
Ａｄｖａｎｃｅｄ画面Ｇ１２は、色度調整（Ｃｏｌｏｒ  ｃａｌｉｂｒａｔｉｏｎ）やインクヘッド調整（Ｉｎｋ  ｈｅａｄ  ａｄｊｕｓｔｍｅｎｔ）など、複数種類のプリンタ３０のうちの特定の種類のプリンタ３０に適用する特定設定項目Ｋ２を設定するための画面であり、特定設定項目Ｋ２は共通設定項目Ｋ１と異なる。ユーザは、Ａｄｖａｎｃｅｄ画面Ｇ１２を用いて、共通設定項目では設定することができず、かつ特定の種類のプリンタ３０に適した特定設定項目Ｋ２を設定することができる。
【００３５】
Ａｄｖａｎｃｅｄ画面Ｇ１２には、各特定設定項目Ｋ２に対応した設定用アイコンＡ１及びヘルプアイコン（ヘルプ画面の一例）Ａ２が含まれる。設定用アイコンＡ１は、各特定設定項目Ｋ２に基づいた画像が描かれているとともに、各特定設定項目Ｋ２に応じた記憶先情報Ｚ２がリンクして（組み込まれて）いる。すなわち、設定画像供給部として機能するＣＰＵ１２は、設定画面データＤ１に含まれる設定用アイコンＡ１に記憶先情報Ｚ２を組み込んで表示部１８に表示しており、記憶先情報Ｚ２を設定画面データＤ１に組み込む組込部としても機能する。
【００３６】
また、ヘルプアイコンＡ２は、クエスチョンマークが描かれているとともに、各特定設定項目Ｋ２に応じたヘルプ情報が関連付けられている。また、Ａｄｖａｎｃｅｄ画面Ｇ１２には、Ｃｏｍｍｏｍ画面Ｇ１１を表示するためのＣｏｍｍｏｍタブ６６を有している。
【００３７】
Ａｄｖａｎｃｅｄ画面Ｇ１２では、特定設定項目Ｋ２の内容を設定する際に、ユーザが設定用アイコンＡ１を指定（クリック）する。するとＣＰＵ１２は、ウェブブラウザ５６に従って動作し、ネットワークインターフェイス２０を介して対応する記憶先情報Ｚ２に示された特定のプリンタ３０にアクセスする。図１に示すように、プリンタ３０は記憶装置３２を備えており、記憶装置３２には各プリンタ３０の特定画面データＤ２が記憶されている。特定画面データＤ２は、表示部１８に各プリンタ３０に適した特定画面Ｇ２（図５参照）を表すためのデータである。
【００３８】
ＣＰＵ１２は、ネットワークインターフェイス２０と共働し、記憶装置３２から特定画面データＤ２を取得する。すなわち、ＣＰＵ１２とネットワークインターフェイス２０が共働して、ＰＣ１０の外部から特定画面データＤ２を取得する取得部として機能する。ＣＰＵ１２は、取得した特定画面データＤ２に識別番号を付加して、メモリ１４に一時的に記憶する。すなわち、ウェブブラウザ５６に従って動作するＣＰＵ１２は、取得部が取得する特定画面データＤ２に識別番号を付加する付加部として機能する。
【００３９】
またＣＰＵ１２は、取得した特定画面データＤ２を、ウェブブラウザ５６を用いて表示部１８に供給する。すなわち、ウェブブラウザ５６に従って動作するＣＰＵ１２は、取得済みの特定画面データＤ２を、表示部１８に供給する特定画像供給部としても機能する。
【００４０】
図５に、ウェブブラウザ５６により表示される色度調整（Ｃｏｌｏｒ  ｃａｌｉｂｒａｔｉｏｎ）の為の特定画面Ｇ２を示す。特定画面Ｇ２は、特定設定項目（ここでは、色度調整）Ｋ２の内容を設定するための画面であり、色合い調整に用いられる操作ボタン７２、調整後の色合い位置を示す色相図７４、ＯＫボタン７６、キャンセルボタン７８が含まれる。特定設定項目Ｋ２の内容を設定する際には、ユーザは操作部１６を用いて操作ボタン７２を操作し、色相図７４における色合い位置を調整し、ＯＫボタン７６をクリックする。これによって、特定画面データＤ２を取得した特定のプリンタ３０にその内容が伝達され、特定設定項目Ｋ２の内容が設定される。一方、キャンセルボタン７８をクリックすることで、特定設定項目Ｋ２の内容が維持される。
【００４１】
なお、設定画面供給部として機能する汎用ドライバ５４と特定画面供給部として機能するウェブブラウザ５６はお互いに異なるプログラムであり、それぞれが供給するデータである設定画面データＤ１と特定画面データＤ２とをそれぞれ独立した画面データとして供給する。そのため、特定画面を設定画面に組み込む必要も無ければ、設定画面を特定画面に組み込む必要も無く、設定画面データＤ１と特定画面データＤ２はお互いに自由に構成される。
【００４２】
２．設定処理
図６ないし図９を用いて、印刷処理時における設定項目を設定する設定処理を説明する。図６ないし図８は、ＣＰＵ１２及びプリンタ３０で実行される設定処理を含む処理のフローチャートを示し、図９は、特定設定項目Ｋ２を設定する特定設定処理を含む処理におけるデータ等の伝達の様子を示している。
【００４３】
（汎用ドライバ処理）
まず、汎用ドライバ５４に従って動作するＣＰＵ１２の処理について説明する。
図６に示すように、ＣＰＵ１２は、一定期間毎に操作部１６を介してユーザから印刷指示が入力されるのを待機しており（ステップＳ２）、入力が無い場合（ステップＳ２：ＮＯ）には処理を終了する。一方、一定期間内にユーザから印刷指示が入力された場合（ステップＳ２：ＹＥＳ）に、ＣＰＵ１２は汎用ドライバ５４に従って設定画面Ｇ１を表示する（ステップＳ４）。ＣＰＵ１２は、設定画面Ｇ１のうち、汎用ドライバ５４に予め準備されているＣｏｍｍｏｍ画面Ｇ１１を表示する。尚、印刷指示の入力の前または入力時に、印刷処理を実行する対象のプリンタ３０が選択される。
【００４４】
ＣＰＵ１２は、Ｃｏｍｍｏｍ画面Ｇ１１において共通設定項目Ｋ１の内容が設定される（ステップＳ６）。ここで、共通設定項目Ｋ１の内容が設定されるとは、ユーザ等によって指定された設定欄６２の数値を印刷設定として保存することをいう。この時、ユーザが設定欄６２の数値を変化する度に、変化した数値を印刷設定として保存する。尚、ステップＳ４の処理を経て初めてステップＳ６の処理が実行される際は、デフォルトの設定欄６２の数値を印刷設定として保存する。
【００４５】
その後ＣＰＵ１２は、Ｃｏｍｍｏｍ画面Ｇ１１内のＡｄｖａｎｃｅｄタブ６４が選択されないと（ステップＳ８：ＮＯ）、印刷処理の実行を待機する（ステップＳ１０）。ＣＰＵ１２は、操作部１６を介してユーザから印刷実行指示が入力されたか否かを確認し、印刷実行指示が入力された場合（ステップＳ１０：ＹＥＳ）、保存された印刷設定に基づき印刷処理を実行する（ステップＳ１２）。具体的には、ＣＰＵ１２は、メモリ１４に記憶された送信先情報Ｚ１が示すプリンタ３０にアクセスし、印刷処理の実行指示を出力する（図６及び図８の線Ａ参照）。当該プリンタ３０は、その実行指示に従って印刷を行う。一方、印刷実行指示が入力されない場合（ステップＳ１０：ＮＯ）に、ステップＳ６ないしステップＳ１０の処理を繰り返す。
【００４６】
またＣＰＵ１２は、Ｃｏｍｍｏｍ画面Ｇ１１内のＡｄｖａｎｃｅｄタブ６４が選択された場合（ステップＳ８：ＹＥＳ）に、メモリ１４にＡｄｖａｎｃｅｄ画面Ｇ１２の内容が既に取得されているか否かを確認する（ステップＳ１４）。汎用ドライバ５４には、通常Ａｄｖａｎｃｅｄ画面Ｇ１２が準備されているものの、Ａｄｖａｎｃｅｄ画面Ｇ１２に記載される構成については準備されていない。ＣＰＵ１２は、Ａｄｖａｎｃｅｄ画面Ｇ１２の内容が既に取得されている場合（ステップＳ１４：ＹＥＳ）に、その内容を表示部１８に表示する（ステップＳ１８）。
【００４７】
その一方、ＣＰＵ１２は、Ａｄｖａｎｃｅｄ画面Ｇ１２の内容が未だ取得されていない場合（ステップＳ１４：ＮＯ）に、送信先情報Ｚ１が示すプリンタ３０からＡｄｖａｎｃｅｄ画面Ｇ１２の内容を取得する（ステップＳ１６）。ＣＰＵ１２は、送信先情報Ｚ１が示すプリンタ３０にＡｄｖａｎｃｅｄ画面Ｇ１２の内容を要求し（図６、図８、図９の線Ｂ参照）、それに応じて当該プリンタ３０の記憶装置３２から図１０に示す各情報を取得する（図６、図８、図９の線Ｃ参照）。
【００４８】
図１０に示すように、プリンタ３０から取得される情報には、特定設定項目Ｋ２の名称（Ａｄｖａｎｃｅｄ  ｆｕｎｃｔｉｏｎ  ｎａｍｅ）、記憶先情報Ｚ２（Ａｄｖａｎｃｅｄ  ｆｕｎｃｔｉｏｎ  ＵＲＬ）、アイコン取得先情報（Ａｄｖａｎｃｅｄ  ｆｕｎｃｔｉｏｎ  ＩＣＯＮ  ＵＲＬ）、ヘルプ情報取得先情報（Ａｄｖａｎｃｅｄ  ｆｕｎｃｔｉｏｎ  ＨＥＬＰ  ＵＲＬ）が含まれる。なお、本実施形態では、記憶先情報Ｚ２及びアイコン取得先情報及びヘルプ情報取得先情報はいずれも、予め選択された印刷処理を実行する対象のプリンタ３０の場所を示している。
【００４９】
ＣＰＵ１２は、取得した記憶先情報Ｚ２をメモリ１４に記憶する。更にＣＰＵ１２は、アイコン取得先情報に示されたアイコン取得先から設定用アイコンＡ１及びヘルプアイコンＡ２を取得する。またＣＰＵ１２は、ヘルプ情報取得先情報に示されたヘルプ情報取得先からヘルプ情報を取得する（図６、図８、図９の線Ｈ１参照）。
【００５０】
ＣＰＵ１２は、取得された設定用アイコンＡ１を対応する記憶先情報Ｚ２にリンクさせるとともに、取得されたヘルプアイコンＡ２を対応するヘルプ情報に関連つける。ＣＰＵ１２は、以上の処理の終了後、Ａｄｖａｎｃｅｄ画面Ｇ１２の内容を表示部１８に表示する（ステップＳ１８）。
【００５１】
ＣＰＵ１２は、Ａｄｖａｎｃｅｄ画面Ｇ１２において設定用アイコンＡ１がクリック（指定）された場合（ステップＳ２０：ＹＥＳ）に、特定画面Ｇ２を表示する（ステップＳ２２）。ＣＰＵ１２は、ウェブブラウザ５６を動作させ、特定画面Ｇ２を表示させる指示をするとともに、汎用ドライバ５４からウェブブラウザ５６に識別番号が引き渡される（図６、図７、図９の線Ｄ参照）。
【００５２】
またＣＰＵ１２は、設定用アイコンＡ１がクリックされず（ステップＳ２０：ＮＯ）、ヘルプアイコンＡ２がクリックされた場合（ステップＳ２４：ＹＥＳ）に、メモリ１４に記憶されたヘルプ情報を表示させる処理を実行する（ステップＳ２６）。
【００５３】
またＣＰＵ１２は、設定用アイコンＡ１及びヘルプアイコンＡ２がクリックされず（ステップＳ２０：ＮＯ、ステップＳ２４：ＮＯ）、Ａｄｖａｎｃｅｄ画面Ｇ１２内のＣｏｍｍｏｍタブ６６が選択された場合（ステップＳ２８：ＹＥＳ）に、Ｃｏｍｍｏｍ画面Ｇ１１を再び表示し、ステップＳ６ないしステップＳ１０の処理を実行する。
【００５４】
またＣＰＵ１２は、設定用アイコンＡ１、ヘルプアイコンＡ２、及びＣｏｍｍｏｎタブがクリック及び選択されないと（ステップＳ２０：ＮＯ、ステップＳ２４：ＮＯ、ステップＳ２８：ＮＯ）、印刷処理の実行を待機する（ステップＳ３０）。ＣＰＵ１２は、ユーザから印刷実行指示が入力されたか否かを確認し、印刷実行指示が入力された場合（ステップＳ３０：ＹＥＳ）、保存された印刷設定に基づき印刷処理を実行する（ステップＳ３２）。
【００５５】
このとき、ＣＰＵ１２は、ステップＳ２２でウェブブラウザ５６に引き渡した識別番号を指定して、送信先情報Ｚ１のプリンタ３０に印刷処理の実行指示を出力する（図６及び図８の線Ａ参照）。これによって、この印刷処理では、特定画面Ｇ２の設定が反映された印刷処理が実行される。一方、印刷指示が入力されない場合（ステップＳ３０：ＮＯ）に、ステップＳ２０ないしステップＳ２８の処理を繰り返す。
【００５６】
（ウェブブラウザ処理）
次に、ウェブブラウザ５６に従って動作するＣＰＵ１２の処理について説明する。
図７に示すように、ＣＰＵ１２は、一定期間毎に汎用ドライバ５４から表示指示が入力されるのを待機しており（ステップＳ４２）、入力が無い場合（ステップＳ４２：ＮＯ）には設定処理を終了する。一方、一定期間内にユーザが設定用アイコンＡ１をクリック（ステップＳ２０：ＹＥＳ）し、汎用ドライバ５４から表示指示が入力された場合（ステップＳ２２、ステップＳ４２：ＹＥＳ）に、特定画面Ｇ２を表示するための特定画面データＤ２を取得する（ステップＳ４４）。
【００５７】
ＣＰＵ１２は、設定用アイコンＡ１にリンクした記憶先情報Ｚ２のプリンタ３０に特定画面データＤ２を要求し（図７、図８、図９の線Ｅ１参照）、それに応じてプリンタ３０の記憶装置３２から特定画面データＤ２（ウェブページデータ）を取得する（図７、図８、図９の線Ｆ１参照）。ＣＰＵ１２には、汎用ドライバ５４から表示指示とあわせて識別番号が引き渡されており、ＣＰＵ１２は、この識別番号を取得された特定画面データＤ２に付加する。ＣＰＵ１２は、取得された特定画面Ｇ２を表示部１８に表示する（ステップＳ４６）。
【００５８】
ＣＰＵ１２は、特定画面Ｇ２において特定設定項目Ｋ２の内容が設定された場合（ステップＳ４８：ＹＥＳ）に、予め選択されたプリンタ３０に設定内容を伝達し（ステップＳ５０）、特定設定項目Ｋ２の設定を終了する。ＣＰＵ１２は、メモリ１４に記憶された送信先情報Ｚ１のプリンタ３０にアクセスし、設定内容を伝達する（図７、図８、図９の線Ｇ参照）。具体的には、図５に示す色度調整の特定画面Ｇ２において、設定ボタン７２が操作された場合に、色相図７４における色合い位置（図５の星印の位置）を変化させるとともに、その結果を送信先情報Ｚ１のプリンタ３０に伝達する。
【００５９】
ＣＰＵ１２は、特定設定項目Ｋ２の内容が設定されない場合（ステップＳ４８：ＮＯ）に、特定設定項目の設定処理を終了するか否かを判断する（ステップＳ５２）。ＣＰＵ１２は、ユーザから特定画面Ｇ２の表示を閉じる等の指示が入力されたか否かを確認し、これらの指示が入力された場合（ステップＳ５２：ＹＥＳ）に特定設定項目の設定処理を終了する。一方、これらの指示が入力されない場合（ステップＳ５２：ＮＯ）に、ステップＳ４８の処理を繰り返す。
【００６０】
（プリンタ処理）
次に、プリンタ３０の処理について説明する。
図８に示すように、プリンタ３０は、一定期間毎にＰＣ１０（ＣＰＵ１２）からイベントが入力されるのを待機しており（ステップＳ６２）、入力が無い場合（ステップＳ６２：ＮＯ）には処理を終了する。一方、一定期間内にＣＰＵ１２からイベントが入力された場合（ステップＳ６２：ＹＥＳ）に、入力されたイベントに従った処理を実行する。
【００６１】
プリンタ３０は、汎用ドライバ５４に従って動作するＣＰＵ１２から印刷処理の実行指示が入力された場合（ステップＳ１２、ステップＳ３２、ステップＳ６４：ＹＥＳ）に、印刷処理を実行する（ステップＳ６６）。
【００６２】
プリンタ３０は、汎用ドライバ５４に従って動作するＣＰＵ１２からＡｄｖａｎｃｅｄ画面Ｇ１２の内容が要求された場合（ステップＳ１６、ステップＳ６８：ＹＥＳ）に、ＣＰＵ１２にＡｄｖａｎｃｅｄ画面Ｇ１２の内容を送信する処理を実行する（ステップＳ７０）。
【００６３】
プリンタ３０は、汎用ドライバ５４に従って動作するＣＰＵ１２からアイコンＡ１、Ａ２及びヘルプ情報が要求された場合（ステップＳ７２：ＹＥＳ）に、ＣＰＵ１２にアイコンＡ１、Ａ２及びヘルプ情報を送信する処理を実行する（ステップＳ７４）。
【００６４】
プリンタ３０は、ウェブブラウザ５６に従って動作するＣＰＵ１２から特定画面データＤ２が要求された場合（ステップＳ４４、ステップＳ７６：ＹＥＳ）に、ＣＰＵ１２に特定画面データＤ２（ウェブページデータ）を送信する処理を実行する（ステップＳ７８）。
【００６５】
プリンタ３０は、ウェブブラウザ５６に従って動作するＣＰＵ１２から特定設定項目Ｋ２の設定内容が伝達された場合（ステップＳ５０、ステップＳ８０：ＹＥＳ）に、伝達された設定内容に変更する設定処理を実行する（ステップＳ８２）。
【００６６】
プリンタ３０は、ＣＰＵ１２からイベントが入力されてからの経過時間を計測しており、所定時間に亘って次のイベントが入力されない場合（ステップＳ８４：ＹＥＳ）に、プリンタ３０の処理を終了する。一方、所定時間内に次のイベントが入力された場合（ステップＳ８４：ＮＯ）に、ステップＳ６４ないしステップＳ８２の処理を繰り返す。
【００６７】
３．本実施形態の効果
（１）本実施形態のＰＣ１０は、汎用ドライバ５４によって準備される設定画面Ｇ１に特定設定項目Ｋ２が指定されるためのＡｄｖａｎｃｅｄ画面Ｇ１２を含んでおり、この画面を用いて特定設定項目Ｋ２を指定することができる。また、ＰＣ１０は、特定設定項目Ｋ２が指定された場合に、特定設定項目Ｋ２の内容を設定するための特定画面Ｇ２をＰＣ１０の外部であるプリンタ３０から取得する。そのため、汎用ドライバ５４は、特定画面Ｇ２を準備しておく必要もなければ、特定画面Ｇ２に含まれる特定設定項目Ｋ２の内容を設定可能に識別しておく必要もない。これによって、汎用ドライバ５４の構成が複雑化してしまうことが抑制される。
【００６８】
（２）本実施形態では、共通設定項目Ｋ１と特定設定項目Ｋ２とが、互いに異なる設定項目である。これによって、共通設定項目Ｋ１では指定することの出来ない設定項目を、特定設定項目Ｋ２を用いて指定することができる。
【００６９】
（３）本実施形態では、設定画面データＤ１と特定画面データＤ２とをそれぞれ独立した画面データとして表示部１８に供給する。これによって、特定画面Ｇ２を設定画面Ｇ１に組み込む必要も無ければ、設定画面Ｇ１を特定画面Ｇ２に組み込む必要も無く、特定画面データＤ２を設定画面データＤ１に対して自由に構成することができる。
【００７０】
（４）本実施形態のＰＣ１０は、汎用ドライバ５４を用いて設定画面データＤ１を表示部１８に供給し、ウェブブラウザ５６を用いて特定画面データＤ２を表示部１８に供給する。これによって、特定画面データＤ２を表示部１８に供給するためのプログラムを汎用ドライバ５４に含んでおく必要がなく、汎用ドライバ５４が複雑化することを抑制することができる。
【００７１】
（５）本実施形態のＰＣ１０は、ウェブブラウザ５６を用いて特定画面データＤ２を表示部１８に供給する。一般に、ＰＣ１０にはウェブブラウザ５６がインストールされていることが多い。ウェブブラウザ５６を用いて特定画面データＤ２を表示部１８に表示することで、特定画面データＤ２を表示するためのプログラムを別途ＰＣ１０にインストールしておく必要がない。また、ウェブブラウザ５６は一般に汎用性を有しているため、特定画面データＤ２を汎用性のあるプログラムにて表示できるように構成することができる。
【００７２】
（６）本実施形態では、Ａｄｖａｎｃｅｄ画面Ｇ１２にヘルプ情報を表示するためのヘルプアイコンＡ２を有する。特定設定項目Ｋ２は、ユーザにとって特異な項目であることが多い。ＰＣ１０によって準備される設定画面Ｇ１が、特定設定項目Ｋ２に関するヘルプ情報を表示するためのヘルプアイコンＡ２を有することで、ユーザは特定設定項目Ｋ２を設定するときに、特定設定項目Ｋ２がどのようなものであるかを予め把握することができ、特定設定項目Ｋ２を適切に設定することができる。
【００７３】
（７）本実施形態のＰＣ１０は、プリンタ３０から取得した特定画面データＤ２に、別の特定画面データＤ２と区別するための識別番号を付加する。これによって、複数の特定設定項目Ｋ２を設定するために、ＰＣ１０に外部から複数の特定画面データＤ２が取得された場合でも、識別番号を用いて各々の特定画面データＤ２を識別することができ、各々の特定設定項目Ｋ２を混同することなく設定することができる。
【００７４】
（８）本実施形態のＰＣ１０は、特定画面データＤ２が記憶されているプリンタ３０の場所を示す記憶先情報Ｚ２を設定画面データＤ１に組み込む。これによって、設定画面データＤ１に組み込まれた記憶先情報Ｚ２を用いて、特定画面データＤ２が記憶されているプリンタ３０の場所を容易に知ることができる。
【００７５】
（９）本実施形態では、設定画面Ｇ１に含まれるＣｏｍｍｏｍ画面Ｇ１１が、共通設定項目Ｋ１の内容を設定するための画面を含む。これによって、設定画面Ｇ１を用いて共通設定項目Ｋ１の内容を設定することができる。特定設定項目Ｋ２の内容を設定する場合と異なり、プリンタ３０から共通設定項目Ｋ１の内容を設定するための画面を取得する必要が無い。
【００７６】
（１０）本実施形態では、ＰＣ１０は特定の種類のプリンタ３０の記憶装置３２から特定画面データＤ２を取得し、その特定画面データＤ２を用いて特定画面Ｇ２を表す。これによって、特定の種類のプリンタ３０からに当該プリンタ３０に対応する特定画面データＤ２を取得できるため、対応関係が明確な簡易なシステムとして特定画面データＤ２を記憶することが可能である。
【００７７】
＜実施形態２＞
実施形態２を図１１ないし図１４を用いて説明する。図１１に示すように、本実施形態のシステムは、通信回線２２及び図示しないルータを介して例えばインターネット等の外部ネットワーク２５に接続されており、外部ネットワーク２５上に存在するサーバ８２（制御装置の外部の別例）に接続されている点で実施形態１のシステムと異なる。以下の説明では、実施形態１と同一の内容については重複した記載を省略する。
【００７８】
サーバ８２はメモリ８４を有しており、ダウンロード可能な設定用アイコンＡ１やヘルプアイコンＡ２、及び特定画面データＤ２が格納されている。また、ＰＣ１０のメモリ１４には、記憶先情報Ｚ２としてサーバ８２のメモリ８４の場所（アドレス）が記憶されている。そのため、設定処理の以下の処理において、実施形態１と異なる処理を実行する。
【００７９】
１．設定処理
図１２ないし図１４を用いて、印刷処理時における設定項目を設定する設定処理を説明する。図１２と図１３は、プリンタ３０及びサーバ８２で実行される設定処理を含む処理のフローチャートを示し、図１４は、特定設定項目を設定する特定設定処理を含む処理におけるデータ等の伝達の様子を示している。
【００８０】
汎用ドライバ５４に従って動作するＣＰＵ１２は、Ａｄｖａｎｃｅｄ画面Ｇ１２の内容を取得する（図６のステップＳ１６参照）際に、プリンタ３０から図１０に示す各情報を取得する（図６、図１２、図１４の線Ｃ参照）。本実施形態では、これらの情報のうち、アイコン取得先情報及びヘルプ情報取得先情報がサーバ８２の場所を示しており、図１３、図１４に示すように、ＣＰＵ１２は、サーバ８２から設定用アイコンＡ１及びヘルプアイコンＡ２を取得し、サーバ８２からヘルプ情報を取得する（図１３、図１４の線Ｈ２参照）。
【００８１】
また、ウェブブラウザに従って動作するＣＰＵ１２は、特定画面データＤ２を取得（図７のステップＳ４４参照）際に、図１３、図１４に示すように、サーバ８２に特定画面データＤ２を要求し（図１３、図１４の線Ｅ２、図７の線Ｅ１参照）、サーバ８２のメモリ８４から特定画面データＤ２を取得する（図１３、図１４の線Ｆ２、図７の線Ｆ１参照）。この際、ＣＰＵ１２は、サーバ８２に対して、取得する特定画面データＤ２を用いて設定されるプリンタ３０の送信先情報Ｚ１を送付する。そのため、サーバ８２から得られた特定画面データＤ２と目的のプリンタ３０を関連付けることができる。尚、この実施形態の場合、図７のステップＳ４４における線Ｅ１及び線Ｆ１は、それぞれ線Ｅ２及び線Ｆ２と読み替える。
【００８２】
その一方、図１２に示すように、プリンタ３０では、図８に示す実施形態１の処理と比べて、上記に対応する処理が除かれており、プリンタ３０の処理が、印刷処理（ステップＳ６６）、Ａｄｖａｎｃｅｄ画面Ｇ１２の情報を送信する処理（ステップＳ７０）、及び設定処理（ステップＳ８２）に限定される。
【００８３】
２．本実施形態の効果
本実施形態のＰＣ１０は、特定画面データＤ２を取得するＰＣ１０の外部のサーバ８２と、取得された特定画面データＤ２に基づいて特定設定項目Ｋ２の内容が送信されるプリンタ３０とが異なる場合でも、送信先情報Ｚ１を用いて関連付けておくことで、目的とするプリンタ３０に設定された特定設定項目Ｋ２の内容を送信することができる。
【００８４】
＜他の実施形態＞
本発明は上記記述及び図面によって説明した実施形態に限定されるものではなく、例えば次のような実施形態も本発明の技術的範囲に含まれる。
（１）上記実施形態では、特定設定項目として、色度調整とインクヘッド調整を用いて説明を行ったが、特定設定項目はこれらに限られない。例えば、インクヘッドのパージ、セキュア印刷設定、セキュアファンクションロックの認証等の特定の種類のプリンタ３０に適する項目も、特定設定項目Ｋ２で設定してもよい。また、上記実施形態では、デバイスとして、プリンタを用いて説明を行ったが、デバイスはこれに限られず、複写機、複合機、スキャナ、ファクシミリ装置等の装置であってもよい。
【００８５】
（２）上記実施形態では、Ａｄｖａｎｃｅｄ画面Ｇ１２の内容を取得するタイミングを、ユーザがＣｏｍｍｏｍ画面Ｇ１１内のＡｄｖａｎｃｅｄタブ６４を選択したタイミングとして説明を行ったが、これに限られない。例えば、設定画面Ｇ１を表示する際にＡｄｖａｎｃｅｄ画面Ｇ１２の内容を取得してもよい。これによって、Ａｄｖａｎｃｅｄ画面Ｇ１２を表示する際に、ユーザはＡｄｖａｎｃｅｄ画面Ｇ１２の内容を取得するのに必要な時間だけ待つことがなく、ストレスを感じることがない。
【００８６】
（３）また、Ｃｏｍｍｏｍ画面Ｇ１１とＡｄｖａｎｃｅｄ画面Ｇ１２は、異なる設定項目が含まれているが、それぞれの項目は一定ではない。Ａｄｖａｎｃｅｄ画面Ｇ１２に存在する設定項目のうち、使用頻度が高まったものをＣｏｍｍｏｍ画面Ｇ１１に組み込むこともできる。また、Ｃｏｍｍｏｍ画面Ｇ１１に存在する設定項目のうち、使用頻度が低くなったものをＡｄｖａｎｃｅｄ画面Ｇ１２に組み込むこともできる。
【００８７】
本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成し得るものであり、そのうちの一つの目的を達成すること自体で技術的有用性を持つものである。
【符号の説明】
【００８８】
１０：ＰＣ
１２：ＣＰＵ
１４：メモリ
１８：表示部
２０：ネットワークインターフェイス
２２：通信回線
３０：プリンタ
３２：記憶装置
５４：汎用ドライバ
５６：ウェブブラウザ
６４：Ａｄｖａｎｃｅｄタブ
６６：Ｃｏｍｍｏｍタブ
８２：サーバ
８４：メモリ
Ａ１：設定用アイコン
Ａ２：ヘルプアイコン
Ｄ１：設定画面データ
Ｄ２：特定画面データ
Ｇ１：設定画面
Ｇ１１：Ｃｏｍｍｏｍ画面
Ｇ１２：Ａｄｖａｎｃｅｄ画面
Ｇ２：特定画面
Ｋ１：共通設定項目
Ｋ２：特定設定項目
Ｚ１：送信先情報
Ｚ２：記憶先情報
【図１】
0005617386.tif 000002
【図２】
0005617386.tif 000003
【図３】
0005617386.tif 000004
【図４】
0005617386.tif 000005
【図５】
0005617386.tif 000006
【図６】
0005617386.tif 000007
【図７】
0005617386.tif 000008
【図８】
0005617386.tif 000009
【図９】
0005617386.tif 000010
【図１０】
0005617386.tif 000011
【図１１】
0005617386.tif 000012
【図１２】
0005617386.tif 000013
【図１３】
0005617386.tif 000014
【図１４】
0005617386.tif 000015